(57)【要約】  吸収体（１０）と、吸収体（１０）より肌側に配置された肌側シート（２）と、を有する吸収性物品（１）であって、少なくとも肌側シート（２）を厚さ方向に圧搾する線状圧搾部（Ｅｓ）を複数有し、複数の線状圧搾部（Ｅｓ）によって囲まれた第１内側領域（Ｕ１）と、第１内側領域（Ｕ２）に隣接する第２内側領域（Ｕ２）とを有し、第１内側領域（Ｕ１）と前記第２内側領域（Ｕ２）との境界には、第１内側領域（Ｕ１）及び第２内側領域（Ｕ２）に共通の境界線状圧搾部（Ｅｓ１２）が設けられており、境界線状圧搾部（Ｅｓ１２）が曲線である
2020095952.tif 000002
【特許請求の範囲】
【請求項１】
互いに直交する長手方向、幅方向、及び厚さ方向を備え、
吸収体と、
前記厚さ方向において前記吸収体より肌側に配置された肌側シートと、を有する吸収性物品であって、
少なくとも前記肌側シートを前記厚さ方向に圧搾する線状圧搾部を複数有し、
複数の前記線状圧搾部によって囲まれた第１内側領域と、前記第１内側領域に隣接する第２内側領域とを有し、
前記第１内側領域と前記第２内側領域との境界には、前記第１内側領域及び前記第２内側領域に共通の境界線状圧搾部が設けられており、
前記境界線状圧搾部が曲線である、ことを特徴とする吸収性物品。
【請求項２】
請求項１に記載の吸収性物品であって、
前記境界線状圧搾部は、前記長手方向における一方側の端と前記長手方向における他方側の端との間で蛇行している、ことを特徴とする吸収性物品。
【請求項３】
請求項１または２に記載の吸収性物品であって、
前記肌側シートには、前記厚さ方向の肌側に凹となった凹部と、前記厚さ方向の肌側に凸となった凸部とが、前記長手方向に沿って連続して設けられており、
前記幅方向において、前記凹部と前記凸部とが交互に配置されている、ことを特徴とする吸収性物品。
【請求項４】
請求項３に記載の吸収性物品であって、
前記境界線状圧搾部は、前記凸部及び前記凹部とそれぞれ交差する部分を有している、ことを特徴とする吸収性物品。
【請求項５】
請求項３または４に記載の吸収性物品であって、
前記厚さ方向における前記凹部の非肌側端と前記凸部の肌側端との間の距離よりも、
前記厚さ方向における前記境界線状圧搾部の非肌側端と肌側端との間の距離の方が大きい、ことを特徴とする吸収性物品。
【請求項６】
請求項３〜５のいずれか１項に記載の吸収性物品であって、
前記厚さ方向において、前記吸収体と前記肌側シートの間に配置された中間シートを有し、
前記凹部及び前記凸部は、前記肌側シートにのみ設けられており、
前記境界線状圧搾部は、前記肌側シート及び前記中間シートを圧搾するように設けられている、ことを特徴とする吸収性物品。
【請求項７】
請求項１〜６のいずれか１項に記載の吸収性物品であって、
前記第１内側領域において前記境界線状圧搾部と対向する位置に配置されている前記線状圧搾部と、
前記第２内側領域において前記境界線状圧搾部と対向する位置に配置されている前記線状圧搾部と、が同じ形状である、ことを特徴とする吸収性物品。
【請求項８】
請求項１〜７のいずれか１項に記載の吸収性物品であって、
前記境界線状圧搾部は、他の前記線状圧搾部との交点を有していない、ことを特徴とする吸収性物品。
【請求項９】
請求項８に記載の吸収性物品であって、
隣り合う２つの前記線状圧搾部の間で、前記線状圧搾部が非連続となっている非連続部を有し、
前記非連続部には、前記線状圧搾部とは異なる圧搾部が設けられている、ことを特徴とする吸収性物品。
【請求項１０】
請求項１〜９のいずれか１項に記載の吸収性物品であって、
前記肌側シートは、全体の重量の５０％以上が親水性繊維である、ことを特徴とする吸収性物品。
【請求項１１】
請求項１０に記載の吸収性物品であって、
前記肌側シートは、全体の重量の１００％が親水性繊維である、ことを特徴とする吸収性物品。
【請求項１２】
請求項１〜１１のいずれか１項に記載の吸収性物品であって、
前記肌側シートは、前記厚さ方向において最も肌側に設けられている、ことを特徴とする吸収性物品。
【請求項１３】
請求項１〜１２のいずれか１項に記載の吸収性物品であって、
前記線状圧搾部は、前記曲線に沿って並ぶ複数のドット状圧搾部を有している、ことを特徴とする吸収性物品。
【請求項１４】
請求項１〜１３のいずれか１項に記載の吸収性物品であって、
前記幅方向の両側には、前記吸収体及び前記肌側シートを、前記厚さ方向の肌側から覆うサイドシートが設けられている、ことを特徴とする吸収性物品。
【発明の詳細な説明】
【技術分野】
【０００１】
本発明は、吸収性物品に関する。
【背景技術】
【０００２】
着用者の着衣に固定して使用する吸収性物品として、液吸収性の吸収体及び表面シートを備えた生理用ナプキン、パンティーライナー、及び吸収パッド等が知られている。例えば、特許文献１には、表面シートに波状に蛇行しながら一方向に延びる線状のエンボスを設けることによって、表面シートから吸収体へ経血等の液体をスムーズに移行させて肌触りを良くした吸収性物品が開示されている。
【先行技術文献】
【特許文献】
【０００３】
【特許文献１】特開２０１０−１５８４８８号
【発明の概要】
【発明が解決しようとする課題】
【０００４】
しかしながら、特許文献１の吸収性物品では、表面シートに設けられたエンボスが一方向に連なって延びていることにより、当該エンボスに沿って液体が表面シート上を一方向に長く拡散してしまい、表面シートの広い範囲がべたつき、肌触りが悪化する場合があった。また、一方向に長く延びたエンボスが着用者の肌に触れるため、着用者は該エンボスによる硬さを感じやすく、十分に良好な肌触りを実現できないおそれがあった。【０００５】
本発明は、上記のような従来の問題に鑑みてなされたものであって、その目的は、肌触りが良好な吸収性物品を提供することにある。
【課題を解決するための手段】
【０００６】
上記目的を達成するための主たる発明は、互いに直交する長手方向、幅方向、及び厚さ方向を備え、吸収体と、前記厚さ方向において前記吸収体より肌側に配置された肌側シートと、を有する吸収性物品であって、少なくとも前記肌側シートを前記厚さ方向に圧搾する線状圧搾部を複数有し、複数の前記線状圧搾部によって囲まれた第１内側領域と、前記第１内側領域に隣接する第２内側領域とを有し、前記第１内側領域と前記第２内側領域との境界には、前記第１内側領域及び前記第２内側領域に共通の境界線状圧搾部が設けられており、前記境界線状圧搾部が曲線である、ことを特徴とする吸収性物品である。
本発明の他の特徴については、本明細書及び添付図面の記載により明らかにする。
【発明の効果】
【０００７】
本発明によれば、肌触りが良好な吸収性物品を提供することができる。
【図面の簡単な説明】
【０００８】
【図１】図１は、生理用ナプキン１を肌側から見た平面図である。
【図２】図２は、ナプキン１を非肌側から見た平面図である。
【図３】図３は、図１中のＡ−Ａ矢視で示すナプキン１の概略断面図である。
【図４】図４は、肌側シート２の一部について断面形状を表す図である。
【図５】図５は、中央部１Ｂを拡大した図である。
【図６】図６は、境界線状圧搾部Ｅｓ１２について説明する図である。
【図７】図７は、図５中のＢ−Ｂ矢視で示す部分の断面を説明する図である。
【図８】図５中のＣ−Ｃ矢視で示す部分の断面を説明する図である。
【図９】図９Ａ及び図９Ｂは、線状圧搾部Ｅｓの変形例を示す図である。
【発明を実施するための形態】
【０００９】
本明細書及び添付図面の記載により、少なくとも以下の事項が明らかとなる。
互いに直交する長手方向、幅方向、及び厚さ方向を備え、吸収体と、前記厚さ方向において前記吸収体より肌側に配置された肌側シートと、を有する吸収性物品であって、少なくとも前記肌側シートを前記厚さ方向に圧搾する線状圧搾部を複数有し、複数の前記線状圧搾部によって囲まれた第１内側領域と、前記第１内側領域に隣接する第２内側領域とを有し、前記第１内側領域と前記第２内側領域との境界には、前記第１内側領域及び前記第２内側領域に共通の境界線状圧搾部が設けられており、前記境界線状圧搾部が曲線である、ことを特徴とする吸収性物品である。
【００１０】
このような吸収性物品によれば、内側領域Ｕ１及びＵ２の輪郭を形成する境界線状圧搾部が曲線であることにより、内側領域Ｕ１，Ｕ２が肌側に突出変形する際に陰影が形成されやすく、肌側から視認したときにより柔らかなキルティング生地のように見える。また、境界線状圧搾部が直線である場合と比較して、該境界線状圧搾部に一時的に保持可能な液体（排泄物）の量が多くなる。したがって、排泄物が肌側シートの表面に広く拡散してしまうことが抑制され、肌触りを良好なものとすることができる。
【００１１】
かかる吸収性物品であって、前記境界線状圧搾部は、前記長手方向における一方側の端と前記長手方向における他方側の端との間で蛇行している、ことが望ましい。
【００１２】
このような吸収性物品によれば、内側領域により複雑な陰影が形成され、より柔らかな印象を生じさせることができる。また、境界線状圧搾部の軌跡が長くなるため、該境界線状圧搾部に保持可能な液体（排泄物）の容量が増え、排泄物の拡散をより抑制しやすくなる。
【００１３】
かかる吸収性物品であって、前記肌側シートには、前記厚さ方向の肌側に凹となった凹部と、前記厚さ方向の肌側に凸となった凸部とが、前記長手方向に沿って連続して設けられており、前記幅方向において、前記凹部と前記凸部とが交互に配置されている、ことが望ましい。
【００１４】
このような吸収性物品によれば、長手方向に延びる凹部と凸部によって、吸収性物品と着用者の肌との間の通気性を高めることができる。また、凹部と凸部に沿って排泄物等の液体を拡散させることにより、排泄物が肌側シートの一部の領域に滞留しにくくなり、着用者の肌がかぶれたり不快感を生じさせたりすることを抑制することができる。
【００１５】
かかる吸収性物品であって、前記境界線状圧搾部は、前記凸部及び前記凹部とそれぞれ交差する部分を有している、ことが望ましい。
【００１６】
このような吸収性物品によれば、凹部及び凸部に沿って移動する液体（排泄物）の一部が境界線状圧搾部と交差する部分において境界線状圧搾部に移動しやすくなり、排泄物の長手方向への拡散が抑制される。これにより、排泄物が肌側シートの一部の領域に滞留することを抑制しつつ、長手方向に過度に拡散することが抑制され、良好な肌触りを実現しやすくなる。
【００１７】
かかる吸収性物品であって、前記厚さ方向における前記凹部の非肌側端と前記凸部の肌側端との間の距離よりも、前記厚さ方向における前記境界線状圧搾部の非肌側端と肌側端との間の距離の方が大きい、ことが望ましい。
【００１８】
このような吸収性物品によれば、凹部及び凸部に沿って移動する液体（排泄物）が、高低差の小さい凹部（凸部）側から高低差の大きい線状圧搾部側へと移動しやすくなる。これにより、液体（排泄物）が線状圧搾部を介して吸収体側に移動しやすくなり、肌側シートの表面を濡れ難くすることができる。
【００１９】
かかる吸収性物品であって、前記厚さ方向において、前記吸収体と前記肌側シートの間に配置された中間シートを有し、前記凹部及び前記凸部は、前記肌側シートにのみ設けられており、前記境界線状圧搾部は、前記肌側シート及び前記中間シートを圧搾するように設けられている、ことが望ましい。
【００２０】
このような吸収性物品によれば、凹部及び凸部によって中間シートが圧搾されていないため、該凹部及び凸部が形成されている部分において肌側シートが固くなってしまうことが抑制される。また、線状圧搾部が肌側シート及び中間シートを圧搾していることにより、排泄物を肌側シートから中間シートへと厚さ方向に拡散させやすくすることができる。したがって、吸収性物品着用時の肌触りを向上させることができる。
【００２１】
かかる吸収性物品であって、前記第１内側領域において前記境界線状圧搾部と対向する位置に配置されている前記線状圧搾部と、前記第２内側領域において前記境界線状圧搾部と対向する位置に配置されている前記線状圧搾部と、が同じ形状である、ことが望ましい。
【００２２】
このような吸収性物品によれば、輪郭を形成する線状圧搾部が同形状であることにより、隣接する内側領域同士の形状が同形状となり、吸収性物品の表面が、キルティング生地のように見えるようになる。また、隣接する内側領域同士が同じ形状であることにより、該内側領域が厚さ方向の肌側にきれいに凸変形しやすくなり、吸収性物品の肌触りをより向上させることができる。
【００２３】
かかる吸収性物品であって、前記境界線状圧搾部は、他の前記線状圧搾部との交点を有していない、ことが望ましい。
【００２４】
このような吸収性物品によれば、線状圧搾部同士が交わっていないことにより、排泄物（液体）が複数の線状圧搾部間を伝播するように移動して広範囲に拡散してしまうことを抑制することができる。
【００２５】
かかる吸収性物品であって、隣り合う２つの前記線状圧搾部の間で、前記線状圧搾部が非連続となっている非連続部を有し、前記非連続部には、前記線状圧搾部とは異なる圧搾部が設けられている、ことが望ましい。
【００２６】
このような吸収性物品によれば、線状圧搾部に沿って非連続部の近傍に集まった排泄物を、線状圧搾部とは異なる圧搾部によって厚さ方向の吸収体側に移動させやすくすることができる。これにより、肌側シートの表面が濡れてしまうのを抑制しやすくなる。
【００２７】
かかる吸収性物品であって、前記肌側シートは、全体の重量の５０％以上が親水性繊維である、ことが望ましい。
【００２８】
このような吸収性物品によれば、肌側シートが、排泄物中の水分を素早く吸着しやすくなり、該肌側シートにおいてさらさらとした肌触りを実現しやすくなる。
【００２９】
かかる吸収性物品であって、前記肌側シートは、全体の重量の１００％が親水性繊維である、ことが望ましい。
【００３０】
このような吸収性物品によれば、肌側シートの吸湿性能がより高くなり、着用者の身体に対する肌当たりを向上させやすくすることができる。
【００３１】
かかる吸収性物品であって、前記肌側シートは、前記厚さ方向において最も肌側に設けられている、ことが望ましい。
【００３２】
このような吸収性物品によれば、吸収性物品の着用時において、親水性の高い肌側シートが着用者の肌と直接接触しても着用者の肌に刺激を与えにくく、良好な肌触りを実現できる。また、吸収性物品の肌側表面において綿等によって形成された肌側シートが視認可能となるため、使用者に対して柔らかな風合いや高級感を実感させることができる。
【００３３】
かかる吸収性物品であって、前記線状圧搾部は、前記曲線に沿って並ぶ複数のドット状圧搾部を有している、ことが望ましい。
【００３４】
このような吸収性物品によれば、ドット状の圧搾部の集合によって線状圧搾部を構成することにより、連続した線によって線状圧搾部が構成される場合と比較して、肌側シート等が過度に硬くなってしまうことが抑制されやすく、着用時の肌触りを向上させやすくなる。
【００３５】
かかる吸収性物品であって、前記幅方向の両側には、前記吸収体及び前記肌側シートを、前記厚さ方向の肌側から覆うサイドシートが設けられている、ことが望ましい。
【００３６】
このような吸収性物品によれば、肌側シートの幅方向両側のエッジが露出せず、着用時に該エッジが着用者の肌に食い込んでしまうことが抑制される。また、サイドシートが肌側シートの両端部を縁取っているように見え、幾何学的に配置された線状圧搾部等のデザイン性が引き立てられ、使用者に高級感を実感させることができる。
【００３７】
＝＝＝第１実施形態＝＝＝
以下、本発明に係る吸収性物品として生理用ナプキンを例に挙げて実施形態を説明するが、生理用ナプキンに限らず、パンティーライナー、又は軽失禁用パッド等のように、使用者の着衣に固定して使用する吸収性物品であればよい。
【００３８】
＜＜生理用ナプキン１の基本構成＞＞
図１は、生理用ナプキン１（以下「ナプキン」という）を肌側から見た平面図である。図２は、ナプキン１を非肌側から見た平面図である。図３は、図１中のＡ−Ａ線におけるナプキン１の概略断面図である。
【００３９】
ナプキン１は、互いに直交する長手方向、幅方向、及び厚さ方向を有する。ナプキン１の長手方向において、使用者の下腹部に当接する側を「前側」といい、使用者の臀部に当接する側を「後側」という。また、ナプキン１の厚さ方向において、使用者の肌に当接する側を「肌側」といい、その反対側を「非肌側」という。図中のＸ−Ｘ線は幅方向における中心線である。
【００４０】
ナプキン１は、長手方向の中央部から幅方向の両外側に延出した一対のウイング部１Ｗを有している。以下、ナプキン１の長手方向において、ウイング部１Ｗが設けられた部分を中央部１Ｂ、中央部１Ｂより前側の部分を前側部１Ａ、中央部１Ｂより後側の部分を後側部１Ｃという。
【００４１】
また、ナプキン１の幅方向の中央部には、肌側シート２、中間シート３、吸収体１０、非肌側シート４、及びサイドシート６を有している。厚さ方向の肌側から順に、肌側シート２、中間シート３、吸収体１０及び非肌側シート４が積層されており、サイドシート６は、肌側シート２の肌側面の幅方向の端部から吸収体１０の非肌側面の幅方向の端部に亘って配置されている。つまり、サイドシート６は、それぞれ各部材２、３、１０を厚さ方向に挟むように配置されている。なお、サイドシート６は、図３に示すように、１枚のシート部材で構成してもよいし、また、１枚のシート部材を折り返した２重の構成であってもよい。肌側シート２、中間シート３、吸収体１０、非肌側シート４、及びサイドシート６はそれぞれホットメルト接着剤等の接着剤を用いて接合固定されている。接着剤は、各部材の肌面側及び非肌面側のそれぞれに亘って任意の塗布パターンで塗布されており、Ωパターンやスパイラルパターン、ストライプパターン等の塗布パターンから選択することができる。なお、図３等において、便宜上、接着剤を省略して示している。
【００４２】
肌側シート２は、液透過性のシート部材であり、綿のシートである。肌側シート２は、着用中において着用者の肌に直接接触する部分である。そのため、肌側シート２に親水性の天然繊維である綿を用いることで、着用者が感じる肌触りをより向上させることができる。特に、生理用ナプキンを着用する生理期間中は、着用者の肌は敏感になりやすいことが知られている。この点、ナプキン１の肌側シート２に綿を用いることで、着用者の肌への刺激を軽減し、着用者の肌の痒みやかぶれ等が起こるおそれを軽減させやすくしたり、視覚的に柔らかそうな印象を与えやすくなり、高級感を実感させたりすることができる。
【００４３】
また、本実施形態において、肌側シート２の表面には、長手方向に沿った凹凸が形成されている。図４は、肌側シート２の一部について断面形状を表す図である。同図２に示されるように、肌側シート２には、厚さ方向の肌側に凹となった凹部２１と、厚さ方向の肌側に凸となった凸部２２とが幅方向に交互に並んで設けられている。各々の凹部２１及び凸部２２は長手方向に沿って連続的に設けられており、ナプキン１の着用時には、主に凸部２２が着用者の肌と接触し、凹部２１は着用者の肌と接触せず、肌側シート２と着用者の身体（肌）との間に空間を形成する。したがって、当該凹部２１において長手方向に沿って空気を通過させやすくなり、ナプキン１着用時における通気性を高めることができる。また、経血等の排泄液を凹部２１（凸部２２）に沿って長手方向に移動させやすくなるため、排泄液が一箇所に留まりにくくなり、着用者の肌がかぶれたり不快感を生じさせたりすることを抑制できる。なお、凹部２１及び凸部２２は、例えば厚さ方向の肌側と非肌側に配置され、長手方向に沿った回転軸周りに回転する一対のギアロール(不図示)の間に肌側シート２を通過させることによって形成することができる（所謂、ギア賦型）。
【００４４】
中間シート３は、液透過性のシート部材であり、エアスルー不織布、スパンボンド不織布等を例示できる。ウイングシート５及びサイドシート６は、それぞれ疎水性のシート部材であり、エアスルー不織布、スパンボンド不織布等を例示できる。非肌側シート４は、液不透過性のシート部材であり、ポリエチレン（ＰＥ）の樹脂フィルム等を例示できる。非肌側シート４は、平面サイズが吸収体１０よりも大きく、吸収体１０の平面全体を覆っている。
【００４５】
ウイング部１Ｗは、肌側シート２等の幅方向の両側部から外側に延出しているウイングシート５及び非肌側シート４によって形成されている。なお、ナプキン１がウイング部１Ｗを有さない形態であってもよい。
【００４６】
吸収体１０は、排泄物を吸収して内部に保持する部材である。図３に示すように、吸収体１０は、吸収性コア１１と、吸収性コア１１を覆うカバーシート１２とを有している。吸収性コア１１は、液体吸収性繊維であるパルプ繊維やセルロース系吸収性繊維等に、液体吸収性粒状物である高吸収性ポリマー（所謂ＳＡＰ）等が加えられ、所定の形状に成形されたものである。カバーシート１２は、液透過性のシートであり、ティッシュ等を例示できる。
【００４７】
ナプキン１の非肌側面（つまり、非肌側シート４の非肌側面）には、接着剤が塗布される等した中央粘着部８が設けられている。中央粘着部８は、図２では長手方向に長辺を有する長方形状の１１個の中央粘着部８が幅方向に間隔を空けて配置されているが、中央粘着部８の形状、数、及び配置はこれに限られない。中央粘着部８がナプキン１の使用時に下着等の着衣の肌側面に貼り付けられることで、ナプキン１は下着等に固定される。
【００４８】
同様に、各ウイング部１Ｗの厚さ方向の非肌側面（非肌側シート４の非肌側綿）には、ウイング粘着部９が設けられている。ウイング粘着部９は、図２では、長手方向に長辺を有する長方形状の４個のウイング粘着部９が幅方向に間隔を空けて配置されているが、ウイング粘着部９の形状、数、及び配置はこれに限られない。ナプキン１の使用時にウイング部１Ｗは非肌側に折り曲げられ、ウイング粘着部９は、下着等の非肌側面に貼り付けられる。これにより、ウイング部１Ｗは下着等に固定される。
【００４９】
＜＜線状圧搾部Ｅｓ、本体圧搾部Ｅｂ、孔部Ｈについて＞＞
ナプキン１は、複数の線状圧搾部Ｅｓ、複数の本体圧搾部Ｅｂ、及び複数の孔部Ｈを有している。図１及び図５に示すように、ナプキン１を肌側面から見ると、線状圧搾部Ｅｓ、本体圧搾部Ｅｂ、及び孔部Ｈを視認することができる。図５は、中央部１Ｂを拡大した図である。図６は、境界線状圧搾部Ｅｓ１２について説明する図である。図７は、図５中のＢ−Ｂ矢視で示す部分の断面を説明する図である。図８は、図５中のＣ−Ｃ矢視で示す部分の断面を説明する図である。図５において、中央部１Ｂのうち、両ウイング部１Ｗを省略し、ナプキン１の幅方向の中央部を拡大して示している。また、図５では、便宜上、凹部２１及び凸部２２の一部を省略して表示している。図７、図８は、便宜上、各断面のうち、肌側シート２、中間シート３、及び吸収体１０の部分の断面について図示し、非肌側シート４等は省略している。
【００５０】
複数の線状圧搾部Ｅｓは、肌側シート２と中間シート３とが重ねられた領域の略全域に配置され、少なくとも肌側シート２に対して厚さ方向から圧搾加工を施すことによって形成されている。本実施形態では、図３及び図７に示すように、１つの線状圧搾部Ｅｓが、肌側シート２及び中間シート３を厚さ方向から圧搾することによって１本の線状の圧搾部が形成されている。具体的には、一端と他端の２つの端を有し、長手方向及び幅方向に所定の長さを有する圧搾部であり、肌側シート２と中間シート３とを圧搾している一方で、吸収体１０を圧搾していない部分である。圧搾によって、肌側シート２の繊維密度と中間シート３の繊維密度が、圧搾をしていない部分よりもそれぞれ高くなっている。なお、ナプキン１の線状圧搾部Ｅｓは、ドット状（円形状）の圧搾部の集合によって線状となっているが、これに限られない。例えば、線状の圧搾部を有する線状圧搾部Ｅｓであってもよい。但し、ナプキン１のようにドット状（円形状）の圧搾部の集合による線状圧搾部Ｅｓとすることで、連続した線状の圧搾部の場合と比較して、肌側シート２及び中間シート３が過度に硬くなってしまうおそれを軽減し、着用時の肌触りを向上させることができる。
【００５１】
複数の孔部Ｈは、ナプキン１の長手方向の中央部及び幅方向の中央部に、略千鳥状に配置されている、図３及び図７に示すように、孔部Ｈは、肌側から肌側シート２と中間シート３及び吸収体１０を貫通した平面視円形の孔である。ナプキン１の孔部Ｈは、肌側面から吸収体１０までピン等を突き刺すことによって形成されており、平面視において線状圧搾部Ｅｓを構成する１つの円形圧搾部の大きさよりも、孔部Ｈの大きさの方が大きい。なお、ナプキン１の孔部Ｈは、吸収体１０の非肌側面に達するぐらいの深さを有しているが、これに限られない。孔部Ｈの深さは、肌側から肌側シート２と中間シート３を貫通し、吸収体１０まで達していればよい。
【００５２】
本体圧搾部Ｅｂは、着用状態において着用者の膣口が当接すると考えられる領域を囲むような形状に設けられている。図７に示すように、本体圧搾部Ｅｂは、肌側シート２と中間シート３と吸収体１０を厚さ方向から圧搾加工を施して、所望の形状に形成された圧搾部である。圧搾によって、肌側シート２の繊維密度と中間シート３の繊維密度、及び吸収体１０の繊維密度が、圧搾をしていない部分よりそれぞれ大きくなっている。
【００５３】
線状圧搾部Ｅｓ、本体圧搾部Ｅｂ及び孔部Ｈは、以下のように形成することができる。まず、接着剤を用いて接合した肌側シート２と中間シート３を、複数の凸部を有する凸ローラー（不図示）と、表面が平らなアンビルローラー（不図示）との間のロール間隙に通して、肌側シート２の肌側面から圧搾加工を行うことで線状圧搾部Ｅｓを形成する。
【００５４】
続いて、吸収体１０の肌側面に、線状圧搾部Ｅｓを形成した肌側シート２と中間シート３を重ねて、接着剤を用いて接合し、孔部Ｈと本体圧搾部Ｅｂを形成するための複数の凸部を有する凸ローラー（不図示）と、アンビルローラー（不図示）との間のロール間隙に通して、孔部Ｈと本体圧搾部Ｅｂを形成する。孔部Ｈと本体圧搾部Ｅｂを形成するための凸ローラーは、孔部Ｈを形成するために、線状圧搾部Ｅｓを形成する凸ローラーの凸部よりも鋭利なピン形状のピン部を有し、本体圧搾部Ｅｓを形成するために、線状圧搾部Ｅｓを形成する凸ローラーの凸部よりも突出長さが長い凸部を有している。
【００５５】
その後、吸収体１０の非肌側に非肌側シート４等を積層させることで、ナプキン１を得ることができる。なお、肌側シート２や中間シート３等の各部材は、複数の各シートが連続した連続シートを用いて、上記加工を経て、個別に切断してナプキン１を形成するものであってもよい。また、孔部Ｈと本体圧搾部Ｅｂは、必ずしも同じローラー上で同時に形成する必要はなく、別々に形成してもよい。
【００５６】
従来、着用状態において、ナプキン１に排泄物を吸収させると、吸液性及び保湿性が高い綿を用いた肌側シート２がより多くの排泄物を吸収しようとするため、肌側シート２の層で排泄物を拡散してしまい、中間シート３や吸収体１０に排泄物が達しにくい場合があった。そのため、ナプキン１の肌側の面に排泄物が留まりつづけやすくなるため、着用者の肌に排泄物が接した状態になりやすく、不快感や痒み、かぶれを感じさせやすいおそれがあった。
【００５７】
この点、図７に示すように、ナプキン１は、線状圧搾部Ｅｓを設けて、肌側シート２と中間シート３の繊維密度をより高くすることで、毛細管現象によって線状圧搾部Ｅｓに排泄物が吸収されやすくすることができる。つまり、肌側シート２で受けた排泄物を線状圧搾部Ｅｓで留めやすくなるため、肌側シート２の層で拡散し続けることを線状圧搾部Ｅｓが抑制することができる。そして、線状圧搾部Ｅｓによって拡散が抑制されると、線状圧搾部Ｅｓが設けられた部分の付近の単位面積当たりの排泄物の量が多くなる。この単位面積当たりの量が多くなった排泄物が孔部Ｈに落ちるように入り込むため、肌側シート２や中間シート３の広い範囲に拡散する前に、孔部Ｈに入った排泄物を吸収体１０に吸収させることができる。孔部Ｈがピン等によって形成された場合には、孔部Ｈの周囲の肌側シート２、中間シート３及び吸収体１０の各繊維密度がより高くなっているため、毛細管現象によって、孔部Ｈは排泄物を吸収しやすくなる。これによって、肌触りを向上させたり、視覚的に柔らかそうな印象を与えるために、肌側シート２に綿を用いた場合でも、肌側シート２で表面的に排泄物が拡散して、ナプキン１から排泄物が漏れてしまったり、排泄物が肌に接触し続けることによる不快感を軽減させることができる。
【００５８】
また、図７等に示すように、線状圧搾部Ｅｓは凹部であるため、排泄物を線状圧搾部Ｅｓに移動させやすく、線状圧搾部Ｅｓのより高い繊維密度によって排泄物を肌側シート２から中間シート３へと厚さ方向に拡散させやすくなり、排泄物を吸収体１０まで導きやすくなる。なお、線状圧搾部Ｅｓをより深く形成して吸収体１０まで圧搾すれば、より排泄物を厚さ方向に拡散させやすくなるとも考えられる。しかし、線状圧搾部Ｅｓを吸収体１０に達するまで深く圧搾すると、吸収体１０やナプキン１が線状圧搾部Ｅｓの剛性によって硬くなってしまい、着用時の肌触りが低下したり、着用時に不快感を与えてしまったりするおそれがある。そのため、線状圧搾部Ｅｓは、肌側シート２と中間シート３のみを圧搾したものとすることがよい。
【００５９】
そして、本実施形態のナプキン１では、複数の線状圧搾部Ｅｓによって囲まれた領域である内側領域Ｕが複数形成されている。すなわち、図５に示すように、４つの線状圧搾部Ｅｓによって四方を囲まれた複数の略ひし形の内側領域Ｕを有し、略同じ形状、略同じ大きさを有している。
【００６０】
線状圧搾部Ｅｓを四方に有する内側領域Ｕによって、排泄物を内側領域Ｕの内側に留めやすくなり、肌側シート２で排泄物が平面的に拡散してしまうおそれを軽減させやすくなる。また、複数の内側領域Ｕの中央部がそれぞれ肌側に突出した凸形状を有することが好ましい。具体的には、図８に示すように、肌側シート２と中間シート３の圧縮による内側領域Ｕの長手方向（及び幅方向）の中央部が肌側に突出した形状をしていることが好ましい。これを肌側から視認すると、キルティング生地のように見えるため、着用者に対して柔らかそうな印象を与えやすくなる。
【００６１】
さらに、本実施形態では、内側領域Ｕの輪郭を構成する４つの線状圧搾部Ｅｓが曲線となっている。すなわち、隣接する２つの内側領域Ｕ，Ｕの境界に位置する線状圧搾部Ｅｓが曲線となっている。図６では、互いに隣接する第１内側領域Ｕ１と、第２内側領域Ｕ２との境界において、第１内側領域Ｕ１及び前記第２内側領域Ｕ２に共通の境界線状圧搾部Ｅｓ１２が設けられている。そして、境界線状圧搾部Ｅｓ１２の長手方向における前側の端を端Ｐ１、後側の端を端Ｐ２とすると、境界線状圧搾部Ｅｓ１２は、端Ｐ１と端Ｐ２との間でカーブした軌跡を描くように配置されている。
【００６２】
内側領域Ｕの輪郭を形成する境界線状圧搾部Ｅｓ１２が曲線であることにより、内側領域Ｕが図８のように肌側に突出する際に陰影が形成されやすく、肌側から視認したときにより柔らかなキルティング生地のように見える。また、実際に、肌側に突出する高さが位置によって変化しやすくなるため、肌当たりが不均一になると共に着用時における圧力が分散し、肌触りを柔らかくすることができる。そして、境界線状圧搾部Ｅｓ１２が直線である場合と比較して、着用時において該境界線状圧搾部Ｅｓ１２の感触が認識されにくくなるため、着用者に不快感を与え難くなる。また、境界線状圧搾部Ｅｓ１２が曲線であることにより端Ｐ１と端Ｐ２とを結ぶ軌跡が長くなるため、該境界線状圧搾部Ｅｓ１２に一時的に保持可能な排泄物の量が多くなる。したがって、肌側シート２に綿を用いた場合であっても、排泄物が長手方向及び幅方向に過度に拡散してしまうことが抑制され、孔部Ｈ等を介して排泄物を吸収体１０に吸収させやすくすることができる。
【００６３】
なお、図６に示されるように、境界線状圧搾部Ｅｓ１２は端Ｐ１と端Ｐ２との間で蛇行している。すなわち、境界線状圧搾部Ｅｓ１２は、端Ｐ１と端Ｐ２とを結んだ直線と直行する方向において、少なくとも一方側に凸となった部分と、他方側に凸となった部分とを有するＳ字カーブ状の曲線である。このように境界線状圧搾部Ｅｓ１２が蛇行していることにより、内側領域Ｕにより複雑な陰影が形成され、使用者により柔らかな印象を生じさせることができる。また、端Ｐ１と端Ｐ２との間で境界線状圧搾部Ｅｓ１２の軌跡が長くなるため、該境界線状圧搾部Ｅｓ１２に保持可能な排泄物の容量が増え、排泄物の拡散を抑制しやすくなる。
【００６４】
また、境界線状圧搾部Ｅｓ１２は、肌側シート２に設けられた凹部２１及び凸部２２とそれぞれ交差する部分を有している。上述したように、凹部２１及び凸部２２は、排泄物を長手方向に沿って移動させる機能を有している。しかしながら、排泄物が凹部２１及び凸部２２に沿って無制限に移動可能であると、肌側シートの長手方向に沿って排泄物が過度に拡散し、長手方向の腹側端部若しくは背側端部から排泄物が漏れてしまうおそれがある。これに対して、本実施形態では、凹部２１及び凸部２２に沿って移動する排泄物が境界線状圧搾部Ｅｓ１２（線状圧搾部Ｅｓ）との交点において境界線状圧搾部Ｅｓ１２側に移動する。すなわち、境界線状圧搾部Ｅｓ１２によって、凹部２１及び凸部２２に沿った排泄物の移動が堰き止められ、長手方向への排泄物の拡散が抑制される。さらに、図５から明らかなように、凹部２１及び凸部２２はそれぞれ複数の線状圧搾部Ｅｓと交差していることにより、長手方向への排泄物の拡散がより抑制されやすくなっている。したがって、ナプキン１では、肌側シート２の一部の領域に排泄物が滞留することを抑制しつつ、長手方向に過度に拡散してしまうことも抑制することができる。これにより、良好な肌触りを実現しやすくなる。
【００６５】
なお、図７に示されるように、ナプキン１の厚さ方向における凹部２１の非肌側端と凸部２２の肌側端との間の距離（すなわち凹凸の高低差）よりも、厚さ方向における境界線状圧搾部Ｅｓ１２（線状圧搾部Ｅｓ）の非肌側端と肌側端との間の距離（すなわち線状圧搾部Ｅｓの深さ）の方が大きくなっている。したがって、凹部２１（及び凸部２２）に沿って長手方向に移動する排泄物は、境界線状圧搾部Ｅｓ１２（線状圧搾部Ｅｓ）と交差する部分にて、高低差の小さい凹部２１側から高低差の大きい線状圧搾部Ｅｓ側へと移動しやすくなる。これにより、排泄物が凹部２１（及び凸部２２）に沿って長手方向に過度に拡散することが抑制されやすくなると共に、線状圧搾部Ｅｓを介して排泄物が厚さ方向の非肌側（すなわち吸収体１０側）に移動しやすくなる。したがって、肌側シート２の表面が濡れ難くなる。
【００６６】
また、本実施形態において凹部２１及び凸部２２は肌側シート２にのみ形成されている。すなわち、凹部２１及び凸部２２は、肌側シート２と積層された中間シート３には形成されていない。この凹部２１及び凸部２２は、肌側シートの全体に亘って設けられている。そのため、仮に、肌側シート２と中間シート３とを合わせて圧搾するように形成されていた場合、肌側シート２の剛性が全体的に高くなり、着用者がナプキン１を着用した際に不快感を生じさせやすくなるおそれがある。本実施形態では、凹部２１及び凸部２２が肌側シート２のみに設けられていることにより、肌側シート２が固くならず、着用者に不快感を生じさせにくい。
【００６７】
一方、本実施形態において、線状圧搾部Ｅｓは上述のように肌側シート２及び中間シート３を圧搾して形成されている。肌側シート２に加えて、中間シート３を圧搾することにより、排泄物を肌側シート２から中間シート３へと厚さ方向に拡散させやすくすることができる。また、線状圧搾部Ｅｓは吸収体１０に達するほどには圧搾されていないため、線状圧搾部Ｅｓによって吸収体１０の剛性が高くなってしまうことが抑制され、良好な肌触りを実現しやすくなる。
【００６８】
また、内側領域Ｕの輪郭を構成している線状圧搾部Ｅｓは、いずれも同じ形状を有する曲線である。すなわち、第１内側領域Ｕ１において境界線状圧搾部Ｅｓ１２と対向する位置（辺）に配置されている線状圧搾部Ｅｓと、第２内側領域Ｕ２において境界線状圧搾部Ｅｓ１２と対向する位置（辺）に配置されている線状圧搾部Ｅｓとが同じ形状を有している。例えば、図６に示される複数の内側領域Ｕのうち、第２内側領域Ｕ２と反対側で第１内側領域Ｕ１と隣接している領域を第３内側領域Ｕ３とし、第１内側領域Ｕ１と第３内側領域Ｕ３との境界に位置する線状圧搾部Ｅｓ（つまり、第１内側領域Ｕ１において境界線状圧搾部Ｅｓ１２と対向する位置に配置されている線状圧搾部Ｅｓ）を境界線状圧搾部Ｅｓ１３とする。同様に、第１内側領域Ｕ１と反対側で第２内側領域Ｕ２と隣接している領域を第４内側領域Ｕ４とし、第２内側領域Ｕ２と第４内側領域Ｕ４との境界に位置する線状圧搾部Ｅｓ（つまり、第２内側領域Ｕ２において境界線状圧搾部Ｅｓ１２と対向する位置に配置されている線状圧搾部Ｅｓ）を境界線状圧搾部Ｅｓ２４とする。このとき、境界線状圧搾部Ｅｓ１３と境界線状圧搾部Ｅｓ２４とが同じ形状である。
【００６９】
各々の線状圧搾部Ｅｓ（境界線状圧搾部Ｅｓ１２，１３，２４）が同形状であることにより、隣接する内側領域Ｕ（Ｕ１〜Ｕ４）の形状も同形状となり、ナプキン１の表面に美しい幾何学模様が形成され、高級なキルティング生地のように見えるようになる。また、隣接する内側領域Ｕ，Ｕ同士が同じ形状であることにより、各々の内側領域Ｕが図８のような肌側に突出した凸形状に変形する際に歪が生じ難く、また互いの変形を干渉し合うようなことが抑制される。これによりきれいに揃った凸形状が形成されやすくなり、ナプキン１全体の肌触りをより向上させることができる。
【００７０】
また、隣り合って配置されている２つの線状圧搾部Ｅｓ，Ｅｓ同士は互いに交わっていない。すなわち、或る線状圧搾部Ｅｓは、他の線状圧搾部Ｅｓとの交点を有していない。例えば、図６において、４つの線状圧搾部Ｅｓ１２、Ｅｓ１５、Ｅｓ１３、Ｅｓ１６が時計まわりの方向に順に並ぶことによって第１内側領域Ｕ１が形成されているものとする。このとき、各々の線状圧搾部Ｅｓ１２、Ｅｓ１５、Ｅｓ１３、Ｅｓ１６はそれぞれ他の線状圧搾部Ｅｓとの交点を有していない。より具体的には、境界線状圧搾部Ｅｓ１２の長手方向における前側の端Ｐ１と、境界線状圧搾部Ｅｓ１２の長手方向前側に隣り合う境界線状圧搾部Ｅｓ１６の長手方向における後側の端Ｐ６とが異なる位置に配置されている。以下、隣り合う線状圧搾部Ｅｓ,Ｅｓの間（例えば、境界線状圧搾部Ｅｓ１２の端Ｐ１と境界線状圧搾部Ｅｓ１６の端Ｐ６との間）で、線状圧搾部Ｅｓが非連続となっている部分（線状圧搾部Ｅｓ同士が交わっていない部分）を非連続部Ｎ（図６参照）とも呼ぶ。
【００７１】
このように線状圧搾部Ｅｓが連続していない非連続部Ｎを設けることで、線状圧搾部Ｅｓに沿って拡散する排泄物が隣り合う他の線状圧搾部Ｅｓに拡散することを抑制することができる。すなわち、排泄物が複数の線状圧搾部Ｅｓを伝播するように移動して広範囲に拡散してしまうことを抑制することができる。
【００７２】
なお、隣り合う線状圧搾部Ｅｓ,Ｅｓの間の非連続部Ｎには、該線状圧搾部Ｅｓを構成するドット状圧搾部が設けられていないが、当該非連続部Ｎにおいて、線状圧搾部Ｅｓとは異なる他の圧搾部（例えば、図６では不図示の本体圧搾部Ｅｂや孔部Ｈ、）が設けられていてもよい。上述したように、ナプキン１では、排泄物が線状圧搾部Ｅｓに沿って移動することから、各々の線状圧搾部Ｅｓの両端部において排泄物が集まりやすい。したがって、非連続部Ｎの近傍では、他の領域と比較して単位面積当たりに滞留する排泄物の量が多くなり、肌側シート２の表面が濡れやすくなる。そこで、非連続部Ｎに他の圧搾部を設けることにより、滞留した排泄物を当該他の圧搾部に沿って厚さ方向の非肌側（吸収体１０側）に移動させやすくすることができる。このようにすれば、非連続部Ｎにおける単位面積当たりの排泄物量が少なくなり、肌側シート２の表面が濡れてしまうのを抑制することができる。
【００７３】
また、本実施形態において、肌側シート２として綿を使用することにより、ナプキン１着用時における肌触りを向上させることを説明したが、綿以外にも、麻、絹等の天然繊維や、レーヨン、キュプラ等の再生繊維、若しくは綿とエアスルー不織布の混合シート等を使用することも可能である。これらの繊維はいずれも吸湿性に優れた親水性繊維であり、着用者の肌と直接接触した際に、べたつきや蒸れを抑制しやすい。そして、肌側シート２は、肌側シート２の全体の重量のうち５０％以上の親水性繊維を含んでいることが望ましい。肌側シート２としてこのようなシート部材を使用することにより、排泄物中の水分を素早く吸着することが可能となり、肌側シート２においてさらさらとした肌触りを実現しやすくなる。
【００７４】
なお、親水性繊維の重量％が大きいほど、吸湿性を向上させることが可能であることから、本実施形態の肌側シート２では、全体の重量のうち１００％が親水性繊維であることがより望ましい。例えば、１００％綿によって形成された肌側シート２を使用するとよい。このような肌側シート２を使用することによって着用者の身体に対する肌当たりをより向上させることができる。
【００７５】
また、本実施形態のナプキン１では、上述のように親水性の高い肌側シート２が、厚さ方向の最も肌側に設けられている。したがって、ナプキン１の着用時に当該肌側シート２が着用者の肌と直接接触しても着用者の肌に刺激を与えにくく、良好な肌触りを実現できる。さらに、ナプキン１の肌側表面において綿等によって形成された肌側シート２が視認可能となるため、使用者に対して綿特有の柔らかな風合いや高級感を実感させることができる
【００７６】
また、ナプキン１の肌側面において吸収体１０（肌側シート２）の幅方向の両側にはサイドシート６が設けられている（図１及び図３参照）。このように、肌側シート２の幅方向両端部がサイドシート６によって肌側から覆われていることにより、肌側シート２及び吸収体１０の幅方向両側の端縁（エッジ）が露出せず、ナプキン１の着用時に該エッジが着用者の肌に食い込んでしまうことが抑制される。また、肌側シート２の幅方向の両側において、長手方向に延びるサイドシート６が配置されていることにより、該サイドシート６が肌側シートの両端部を縁取っているように見えるようになる。したがって、サイドシート６が絵画の額縁のように機能して、肌側シート２に幾何学的に配置された線状圧搾部Ｅｓや本体圧搾部Ｅｂのデザイン性が引き立てられ、使用者に高級感を実感させることができる。
【００７７】
＜変形例＞
上述したように、ナプキン１に設けられる境界線状圧搾部Ｅｓ１２（線状圧搾部Ｅｓ）は蛇行する曲線であるが、曲線の形状は、図１や図６等に示される例には限られない。図９Ａ及び図９Ｂは、線状圧搾部Ｅｓの変形例を示す図である。同図９Ａ及び図９Ｂは、ナプキン１の肌側面（トップシート２側の面）の一部を拡大した状態について表す概略平面図であり、線状圧搾部Ｅｓの形状を実線で表示している。
【００７８】
図９Ａに示されるように、境界線状圧搾部Ｅｓ１２は、一方側の端Ｐ１と他方側の端Ｐ２とを結んだ直線（図９Ａでは破線で示されている）と直行する方向において、一方側にのみ凸となった部分を有する曲線であってもよい。すなわち、境界線状圧搾部Ｅｓ１２は、端Ｐ１と端Ｐ２との間で少なくとも１箇所曲線となる部分を有していればよい。このような曲線であっても、直線である場合と比較して、排泄物を保持可能な量が多くなるため、肌側シート２の表面における排泄物の過度な拡散を抑制できる。また、内側領域Ｕ１，Ｕ２が肌側に突出する際に陰影が形成されやすく、柔らかなキルティング生地のように見えるようになる。もちろん、境界線状圧搾部Ｅｓ１２が、図６の場合よりも蛇行回数の多い曲線であってもよい。
【００７９】
また、上述の例では４つの線状圧搾部Ｅｓを輪郭とする内側領域Ｕが形成されていたが、内側領域Ｕの輪郭を形成する線状圧搾部Ｅｓの数が４つ以外であってもよい。図９Ｂは、６つの線状圧搾部Ｅｓによって、６角形状の内側領域Ｕが形成されている例について表している。このような場合であっても、互いに隣接する第１内側領域Ｕ１及び第２内側領域Ｕ２の境界線状圧搾部Ｅｓ１２が曲線であることにより、上述と同様の効果を得ることができる。
【００８０】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。例えば、以下に示すような変形が可能である。
【００８１】
上述の実施形態においては、線状圧搾部Ｅｓ、本体圧搾部Ｅｂ、及び孔部Ｈをそれぞれ複数配置したが、これに限られない。それぞれ１つずつ配置してもよいし、又はそれぞれの数をナプキン１の肌触りの度合いや排泄物の量に応じて適宜変更してもよい。同様に、線状圧搾部Ｅｓ、本体圧搾部Ｅｂ、及び孔部Ｈの形状や大きさについても適宜変更可能である。内側領域Ｕの形状や大きさについても適宜変更可能である。
【００８２】
上述の実施形態においては、高吸収性ポリマーが加えられた液体吸収性繊維を成形した吸収性コア１１を用いたが、これに限られない。例えば、高吸収性ポリマーのみからなるシート材の吸収性コア１１であってもよいし、液体吸収性繊維のみからなる吸収性コア１１であってもよい。また、必ずしもカバーシートを用いる必要はなく、吸収性コア１１だけで吸収体１０を形成するものであってもよい。
【符号の説明】
【００８３】
１  ナプキン（吸収性物品）、
１Ａ  前側部、１Ｂ  中央部、１Ｃ  後側部、１Ｗ  ウイング部、
２  肌側シート、３  中間シート、
４  非肌側シート、５  ウイングシート、
６  サイドシート、
８  中央粘着部、９  ウイング粘着部、
１０  吸収体、１１  吸収性コア、１２  カバーシート、
２１  凹部、２２  凸部、
Ｅｓ  線状圧搾部、Ｅｂ  本体圧搾部、
Ｅｓ１２  境界線状圧搾部、
Ｈ  孔部、Ｎ  非連続部、
Ｕ  内側領域、Ｕ１  第１内側領域、Ｕ２  第２内側領域、
Ｗ  本体圧搾領域
【図１】
2020095952.tif 000003
【図２】
2020095952.tif 000004
【図３】
2020095952.tif 000005
【図４】
2020095952.tif 000006
【図５】
2020095952.tif 000007
【図６】
2020095952.tif 000008
【図７】
2020095952.tif 000009
【図８】
2020095952.tif 000010
【図９】
2020095952.tif 000011
【国際調査報告】
2020095952.tif 000012
2020095952.tif 000013
2020095952.tif 000014
2020095952.tif 000015
2020095952.tif 000016